(57)【特許請求の範囲】
【請求項１】
両足の最適なスタンスを決定するためのスタンス決定システムであって、  旋回可能に設けられ、左右の足を載せて外旋回及び内旋回させる回転部材と、  前記回転部材の外旋回角度及び内旋回角度を検出する旋回角度検出手段と、  前記旋回角度検出手段により検出された前記外旋回角度及び前記内旋回角度に基づいて両足の最適なスタンスを決定する制御手段と、  を有し、  前記制御手段は、 左右の足を前記回転部材に載せた状態で前記回転部材を中心線に対して前記外旋回及び前記内旋回させて検出した右足の前記外旋回角度をＲＯ、左足の前記外旋回角度をＬＯ、右足の前記内旋回角度をＲＩ、左足の前記内旋回角度をＬＩとした場合に、 男性の右足の中心角度ＲＣをＲＣ＝ＲＯ−（（ＲＯ＋ＲＩ）／２）により算出し、 男性の左足の中心角度ＬＣをＬＣ＝ＬＯ−（（ＬＯ＋ＬＩ）／２）により算出し、 女性の右足の中心角度ＲＣをＲＣ＝ＲＯ−（５５×（ＲＯ＋ＲＩ）／１００）により算出し、 女性の左足の中心角度ＬＣをＬＣ＝ＬＯ−（５５×（ＬＯ＋ＬＩ）／１００）により算出し、 左右の足の前記中心角度間の開き角度をＲＣ＋ＬＣにより算出し、 左右の足のうち一方の足のつま先角度を左右の足のうち一方の足の前記中心角度の大きさに応じて異なる位置に決定し、 左右の足のうち他方の足のつま先角度を左右の足のうち一方の足の前記つま先角度に対して前記開き角度が維持される位置に決定する、  ことを特徴とするスタンス決定システム。
【請求項２】
前記制御手段は、 測定者の身長と体重の各値に基づきＢＭＩ法により算出される標準体重に対応した左右の足の標準スタンスを算出し、 前記測定者の体重が前記標準体重から所定の値だけ増加する毎に、前記標準スタンスに対して所定のスタンス幅を加算する、 ことを特徴とする請求項１に記載のスタンス決定システム。
【請求項３】
両足の最適なスタンスを決定するためのスタンス決定方法であって、 左右の足を回転部材に載せた状態で回転部材を中心線に対して外旋回及び内旋回させることにより外旋回角度及び内旋回角度を旋回角度検出手段により検出する旋回角度検出工程と、 前記旋回角度検出工程で検出された前記外旋回角度及び前記内旋回角度に基づいて左右の足の前記中心線に対する中心角度を制御手段により算出する中心角度算出工程と、 前記中心角度算出工程で算出された左右の足の前記中心角度間の開き角度を制御手段により算出する開き角度算出工程と、 左右の足のうち一方の足のつま先角度を制御手段により所定の位置に決定する第１つま先角度決定工程と、 前記第１つま先角度決定工程で決定された左右の足のうち一方の足の前記つま先角度に対して前記開き角度が維持される位置を制御手段により左右の足のうち他方の足のつま先角度に決定する第２つま先角度決定工程と、 を有し、 前記中心角度算出工程では、左右の足を前記回転部材に載せた状態で前記回転部材を中心線に対して前記外旋回及び前記内旋回させて検出した右足の前記外旋回角度をＲＯ、左足の前記外旋回角度をＬＯ、右足の前記内旋回角度をＲＩ、左足の前記内旋回角度をＬＩとした場合に、 男性の右足の中心角度ＲＣをＲＣ＝ＲＯ−（（ＲＯ＋ＲＩ）／２）により算出し、 男性の左足の中心角度ＬＣをＬＣ＝ＬＯ−（（ＬＯ＋ＬＩ）／２）により算出し、 女性の右足の中心角度ＲＣをＲＣ＝ＲＯ−（５５×（ＲＯ＋ＲＩ）／１００）により算出し、 女性の左足の中心角度ＬＣをＬＣ＝ＬＯ−（５５×（ＬＯ＋ＬＩ）／１００）により算出し、 前記開き角度算出工程では、左右の足の前記中心角度間の開き角度をＲＣ＋ＬＣにより算出し、 前記第１つま先角度決定工程では、左右の足のうち一方の足のつま先角度を左右の足のうち一方の足の前記中心角度の大きさに応じて異なる位置に決定し、 前記第２つま先角度決定工程では、左右の足のうち他方の足のつま先角度を左右の足のうち一方の足の前記つま先角度に対して前記開き角度が維持される位置に決定する、 ことを特徴とするスタンス決定方法。
【請求項４】
左右の足のスタンス幅を算出するスタンス幅決定工程をさらに有し、 前記スタンス幅決定工程では、測定者の身長と体重の各値に基づきＢＭＩ法により算出される標準体重に対応した左右の足の標準スタンスを算出し、前記測定者の体重が前記標準体重から所定の値だけ増加する毎に、前記標準スタンスに対して所定のスタンス幅を加算する、 ことを特徴とする請求項３に記載のスタンス決定方法。
【発明の詳細な説明】
【技術分野】
【０００１】
本発明は、例えば、ゴルフやスノーボードなどのスポーツを行うときのプレーヤー（使用者）の両足の最適なスタンス（両足のスタンス位置やスタンス幅などを意味する）を決定するためのスタンス決定システム及びスタンス決定方法に関する。
【背景技術】
【０００２】
ゴルフプレイでは、ゴルフボールを正確にショットし、所望の方向に、所望の距離分だけ飛ばせるための要件として、プレーヤーに適合した正しいアドレスを習得することが重要であることが知られている。このアドレスを決定する際に特に考慮すべき点は、ゴルファーの両足の開き角度とスタンスであると言われている。
【０００３】
ここで、スタンスと開き角度については、プレーヤーの身体軸の十分なひねり運動により、クラブヘッドのスピードを向上させるために一般的には、ボールの飛球方向に関して前足（右利きプレーヤーにとって左足）を飛球線（ゴルフボールの飛球軌跡）に対して、その踵を支点として、約３０度程度外側に開いて位置させ、又、後足（同プレーヤーにとって右足）を飛球線に対して、直角となるように指向させてアドレスを決めることにより、フォロースルーの際の体重の移動がスムーズとなり、大きくクラブを振り切ることが出来ると言われている。
【０００４】
また、プレーヤーのスタンスについては、狭すぎるとスイングが小さくなり、又、広すぎると体重移動が困難となって、後足に体重が残ったままでインパクトすることとなり、いずれもボールを正しく打つことは出来ないため、通常はプレーヤーの肩幅程度のスタンスが適切であるとされている。
【０００５】
次に、スノーボードの例を考察する。オールラウンドモデルに限らず、フリースタイルもしくは、アルペンモデル等の各種のスノーボード上に、ソフトブーツあるいはハードブーツを固定するためのバインディングを取り付けるためのその取り付け位置については、インストラクターの指導もしくは、スノーボード販売員などの経験に基づいて使用者にブーツを履かせてスノーボード上に塔乗させ、使用者の体格とその好みを配慮した上で、バインディングのスタンス、取り付け角度などについて格別の理論的な裏付けもなく決定されていた。
【先行技術文献】
【特許文献】
【０００６】
【特許文献１】特開平８−５７１０２号公報
【特許文献２】特開平７−１９４７５８号公報
【発明の概要】
【発明が解決しようとする課題】
【０００７】
（従来のゴルファーの両足の開き角度とスタンスの決定方法の問題点）
しかしながら、前記した従来技術におけるアドレスの決定方法にあっては、両足の開き角度、ならびに両足の間のスタンスについても、いずれもゴルフプレイにおける永年の経験に準拠するものであって、必ずしもプレーヤー（使用者）の体格、体質などの個別性に適合するための理論的裏付けが存するものとは言えないものであった。このため、知らず知らずの内にプレーヤーに肉体的に無理な姿勢が強制されて、疲労が甚だしい結果を招くばかりでなく、ゴルフ技術的にも上達が遅れることとなるという問題点があった。
【０００８】
（従来のスノーボードに使用者のブーツを固定する方法の問題点）
一方、前記した従来手法によるバインディングの取り付け方法にあっては、使用者にとっては好ましいと感ずる位置にブーツが固定されているため、あたかも快適に滑降を楽しむことが出来るが、本質的に使用者に適合した位置にバインディングが取り付けられていないため、知らず知らずの内に使用者に肉体的に無理な姿勢が強制されて、疲労が甚だしい結果を招くばかりでなく、スノーボード技術的にも上達が遅れることとなるという問題点があった。
【０００９】  そこで、本発明は、上記問題点を解決するために、各プレーヤー（使用者）の肉体的な特徴（例えば、体格、体質、関節部位などの骨格の特性）に基づいて、各プレーヤー（使用者）の両足の最適なスタンスを決定することができるスタンス決定システム及びスタンス決定方法を提供することを目的とする。
【課題を解決するための手段】
【００１０】  本願第１発明は、両足の最適なスタンスを決定するためのスタンス決定システムであって、旋回可能に設けられ、左右の足を載せて外旋回及び内旋回させる回転部材と、前記回転部材の外旋回角度及び内旋回角度を検出する旋回角度検出手段と、前記旋回角度検出手段により検出された前記外旋回角度及び前記内旋回角度に基づいて両足の最適なスタンスを決定する制御手段と、を有し、前記制御手段は、左右の足を前記回転部材に載せた状態で前記回転部材を中心線に対して前記外旋回及び前記内旋回させて検出した右足の前記外旋回角度をＲＯ、左足の前記外旋回角度をＬＯ、右足の前記内旋回角度をＲＩ、左足の前記内旋回角度をＬＩとした場合に、男性の右足の中心角度ＲＣをＲＣ＝ＲＯ−（（ＲＯ＋ＲＩ）／２）により算出し、男性の左足の中心角度ＬＣをＬＣ＝ＬＯ−（（ＬＯ＋ＬＩ）／２）により算出し、女性の右足の中心角度ＲＣをＲＣ＝ＲＯ−（５５×（ＲＯ＋ＲＩ）／１００）により算出し、女性の左足の中心角度ＬＣをＬＣ＝ＬＯ−（５５×（ＬＯ＋ＬＩ）／１００）により算出し、左右の足の前記中心角度間の開き角度をＲＣ＋ＬＣにより算出し、左右の足のうち一方の足のつま先角度を左右の足のうち一方の足の前記中心角度の大きさに応じて異なる位置に決定し、左右の足のうち他方の足のつま先角度を左右の足のうち一方の足の前記つま先角度に対して前記開き角度が維持される位置に決定する、ことを特徴とする。 この場合、前記制御手段は、測定者の身長と体重の各値に基づきＢＭＩ法により算出される標準体重に対応した左右の足の標準スタンスを算出し、前記測定者の体重が前記標準体重から所定の値だけ増加する毎に、前記標準スタンスに対して所定のスタンス幅を加算することが好ましい。【００１１】  本願第１発明によれば、旋回角度検出手段は、左右の足を回転部材に載せた状態で回転部材を中心線に対して外旋回及び内旋回させることにより、両足の外旋回角度及び内旋回角度を検出する。制御手段は、外旋回角度及び内旋回角度に基づいて左右の足の中心線に対する中心角度をそれぞれ算出する。そして、当該算出した左右の足の中心角度間の開き角度を算出する。さらに、左右の足のうち一方の足のつま先角度を所定の位置に決定し、左右の足のうち一方の足のつま先角度に対して開き角度が維持される位置を左右の足のうち他方の足のつま先角度とする。そして、測定者の身長と体重の各値に基づきＢＭＩ法により算出される標準体重に対応した左右の足の標準スタンスを算出し、測定者の体重が前記標準体重から所定の値だけ増加する毎に標準スタンスに対して所定のスタンス幅を加算する。このようにして、両足のスタンス位置が決定される。これにより、各プレーヤー（使用者）の肉体的な特徴（例えば、体格、体質、股関節等の関節部位などの骨格の特性）に基づいて、各プレーヤー（使用者）の両者の最適なスタンスを決定することができる。【００１２】  本願第２発明は、両足の最適なスタンスを決定するためのスタンス決定方法であって、左右の足を回転部材に載せた状態で回転部材を中心線に対して外旋回及び内旋回させることにより外旋回角度及び内旋回角度を旋回角度検出手段により検出する旋回角度検出工程と、前記旋回角度検出工���で検出された前記外旋回角度及び前記内旋回角度に基づいて左右の足の前記中心線に対する中心角度を制御手段により算出する中心角度算出工程と、前記中心角度算出工程で算出された左右の足の前記中心角度間の開き角度を制御手段により算出する開き角度算出工程と、左右の足のうち一方の足のつま先角度を制御手段により所定の位置に決定する第１つま先角度決定工程と、前記第１つま先角度決定工程で決定された左右の足のうち一方の足の前記つま先角度に対して前記開き角度が維持される位置を制御手段により左右の足のうち他方の足のつま先角度に決定する第２つま先角度決定工程と、を有し、前記中心角度算出工程では、左右の足を前記回転部材に載せた状態で前記回転部材を中心線に対して前記外旋回及び前記内旋回させて検出した右足の前記外旋回角度をＲＯ、左足の前記外旋回角度をＬＯ、右足の前記内旋回角度をＲＩ、左足の前記内旋回角度をＬＩとした場合に、男性の右足の中心角度ＲＣをＲＣ＝ＲＯ−（（ＲＯ＋ＲＩ）／２）により算出し、男性の左足の中心角度ＬＣをＬＣ＝ＬＯ−（（ＬＯ＋ＬＩ）／２）により算出し、女性の右足の中心角度ＲＣをＲＣ＝ＲＯ−（５５×（ＲＯ＋ＲＩ）／１００）により算出し、女性の左足の中心角度ＬＣをＬＣ＝ＬＯ−（５５×（ＬＯ＋ＬＩ）／１００）により算出し、前記開き角度算出工程では、左右の足の前記中心角度間の開き角度をＲＣ＋ＬＣにより算出し、前記第１つま先角度決定工程では、左右の足のうち一方の足のつま先角度を左右の足のうち一方の足の前記中心角度の大きさに応じて異なる位置に決定し、前記第２つま先角度決定工程では、左右の足のうち他方の足のつま先角度を左右の足のうち一方の足の前記つま先角度に対して前記開き角度が維持される位置に決定する、ことを特徴とする。 この場合、左右の足のスタンス幅を算出するスタンス幅決定工程をさらに有し、前記スタンス幅決定工程では、測定者の身長と体重の各値に基づきＢＭＩ法により算出される標準体重に対応した左右の足の標準スタンスを算出し、前記測定者の体重が前記標準体重から所定の値だけ増加する毎に、前記標準スタンスに対して所定のスタンス幅を加算する、ことが好ましい。【００１３】  本願第２発明によれば、旋回角度検出工程において、左右の足を回転部材に載せた状態で回転部材を中心線に対して外旋回及び内旋回させることにより外旋回角度及び内旋回角度を旋回角度検出手段により検出する。中心角度算出工程において、旋回角度検出工程で検出された外旋回角度及び内旋回角度に基づいて左右の足の中心線に対する中心角度を制御手段により算出する。開き角度算出工程において、中心角度算出工程で算出された左右の足の中心角度間の開き角度を制御手段により算出する。第１つま先角度決定工程において、左右の足のうち一方の足のつま先角度を制御手段により所定の位置に決定する。第２つま先角度決定工程において、第１つま先角度決定工程で決定された左右の足のうち一方の足のつま先角度に対して開き角度が維持される位置を制御手段により左右の足のうち他方の足のつま先角度に決定する。そして、測定者の身長と体重の各値に基づきＢＭＩ法により算出される標準体重に対応した左右の足の標準スタンスを算出し、測定者の体重が前記標準体重から所定の値だけ増加する毎に標準スタンスに対して所定のスタンス幅を加算する。このようにして、両足のスタンス位置が決定される。これにより、各プレーヤー（使用者）の肉体的な特徴（例えば、体格、体質、股関節等の関節部位などの骨格の特性）に基づいて、各プレーヤー（使用者）の両者の最適なスタンスを決定することができる。
【発明の効果】
【００１４】  本発明によれば、各プレーヤー（使用者）の肉体的な特徴（例えば、体格、体質、股関節等の関節部位などの骨格の特性）に基づいて、各プレーヤー（使用者）の両者の最適なスタンスを決定することができる。
【図面の簡単な説明】
【００１５】
【図１】本発明のスタンス決定システムの構成図である。
【図２】本発明のスタンス決定システムを構成するスタンス測定装置の斜視図である。
【図３】本発明のスタンス決定システムを構成するスタンス測定装置の部分的な断面図である。
【図４】本発明のスタンス決定システムによるスタンス決定方法のフローチャート（工程図）である。
【図５】本発明のスタンス決定システムによるスタンス決定方法で用いられる両足の旋回角度と正負の関係を示した説明図である。
【図６】本発明のスタンス決定システムによるスタンス決定方法において両足の旋回角度から算出された中心角度（αとβ）を一つの座標軸上に合成した説明図である。
【図７】本発明のスタンス決定システムによるスタンス決定方法において右足の中心角度がα≦の場合の右足のつま先角度の位置を示した説明図である。
【図８】本発明のスタンス決定システムによるスタンス決定方法において右足の中心角度が０＜α＜１５の場合の右足のつま先角度の位置を示した説明図である。
【図９】本発明のスタンス決定システムによるスタンス決定方法において右足の中心角度がα≧１５の場合の右足のつま先角度の位置を示した説明図である。
【図１０】本発明のスタンス決定システムによるスタンス決定方法において右足の中心角度がα≦０の場合の右足と左足のつま先角度の位置を一つの座標軸上に合成した説明図である。
【図１１】本発明のスタンス決定システムによるスタンス決定方法において右足の中心角度が０＜α＜１５の場合の右足と左足のつま先角度の位置を一つの座標軸上に合成した説明図である。
【図１２】本発明のスタンス決定システムによるスタンス決定方法において右足の中心角度がα≧１５の場合の右足と左足のつま先角度の位置を一つの座標軸上に合成した説明図である。
【図１３】本発明のスタンス決定システムによるスタンス決定方法において右足の中心角度がα≦０の場合の両足の最適なスタンス位置と最適なスタンス幅を示した説明図である。
【図１４】本発明のスタンス決定システムによるスタンス決定方法において右足の中心角度が０＜α＜１５の場合の両足の最適なスタンス位置と最適なスタンス幅を示した説明図である。
【図１５】本発明のスタンス決定システムによるスタンス決定方法において右足の中心角度がα≧１５の場合の両足の最適なスタンス位置と最適なスタンス幅を示した説明図である。
【発明を実施するための形態】
【００１６】
本発明の第１実施形態に係るスタンス決定システム及びスタンス決定方法について、図面を参照して説明する。なお、以下の実施形態では、ゴルフプレーヤーの最適なゴルフスタンスを決定するための用途に用いられた例を挙げて説明する。ただし、本発明は、ゴルフプレーヤーの最適なゴルフスタンスを決定するための用途だけではなく、例えば、スノーボードを行うスノーボーダーの両足の最適なスタンスを決定する用途などにも適用することができる。なお、本明細書では、「両足のスタンス」とは、両足のスタンス位置とスタンス幅の両方を含んだ概念と定義する。
【００１７】
図１に示すように、スタンス決定システム１０は、スタンス測定装置１２と、スタンス測定装置１２で測定された両足の各旋回角度等に基づいて最適なスタンスを算出する電子機器３２と、を有機的に接続されて構成されている。
【００１８】
図２及び図３に示すように、スタンス測定装置１２は、装置本体となる筐体１４を備えている。筐体１４には、２つの回転部材１６Ｒ、１６Ｌが旋回可能（回転可能）に設けられている。具体的には、２つの回転部材１６Ｒ、１６Ｌは、右足と左足のそれぞれに対応したものであり、使用者の足を載せるための回転盤１８と、回転盤１８の下面に接続された回転軸２０と、回転盤１８及び回転軸２０を回転可能にする回転機構と、で構成されている。
【００１９】
回転軸２０の下端部には、ポテンションメータ（旋回角度検出手段）２２が取り付けられている。ポテンションメータ２２は、いわゆる可変抵抗器であり、従来から周知のものが採用されており、回転盤１８及び回転軸２０の旋回角度（回転角度、外旋回角度と内旋回角度）を検出するためのものである。なお、ポテンションメータ２２に替えて、旋回角度（回転角度）を検出するための回転角度センサ（従来から周知のもの）が利用できる。
【００２０】
２つの回転部材１６Ｒ、１６Ｌは、同じ構成を備えている。使用者の右足を一方の回転部材１６Ｒに載せた状態で回転させることにより外旋回角度と内旋回角度を検出することができ、使用者の左足を他方の回転部材１６Ｌに載せた状態で回転させることにより外旋回角度と内旋回角度を検出することができる。また、２つの回転部材１６Ｒ、１６Ｌのうち、各回転盤１８が筐体１２の上面側に露出しており、両足の旋回角度を測定するための測定作業が行いやすくなっている。
【００２１】
また、筐体１２の内部には、回転部材１６Ｒ、１６Ｌを回転させるための回転機構が設けられている。具体的には、筐体１２の内部には、回転盤受け２４が配置されている。回転盤受け２４には、スラストベアリング２６が設けられている。また、筐体１２の内部には、ボールベアリング２８が設けられている。スラストベアリング２６及びボールベアリング２８により、回転軸２０及び回転盤１８の回転（旋回）動作が可能になる。さらに、筐体１２の内部には、ポテンションメータ受け３０が配置されている。
【００２２】
図１に示すように、電子機器３２は、端末装置３４と、プリンタ装置３６と、を有している。ここで、ポテンションメータ２２は、ＡＤ変換ボード（アナログデータをデジタルデータに変換するもの）３８を介して、端末装置３４に電気的に接続されている。このため、ポテンションメータ２２で検出された回転盤１８の旋回角度の検出結果は、データとして端末装置３４に出力することが可能になる。なお、ポテンションメータ２２と端末装置３４とを電気的に接続する部材として、ＵＳＢケーブルが用いられている。なお、ＡＤ変換ボードには、電源ユニット４０が電気的に接続されている。また、端末装置３４には、プリンタ装置３６がＵＳＢケーブルなどにより電気的に接続されている。
【００２３】
ここで、端末装置３４の内部には、制御手段の一構成要素としてＣＰＵ（制御手段）３４Ａ、ＲＡＭ３４Ｂ、ＲＯＭ３４Ｃなどの電子部品がそれぞれ内蔵されている。ＣＰＵ３４Ａは、ポテンションメータ２２から送信されてきた回転盤１８の旋回角度の検出結果に基づいて、両足の最適なスタンスを決定することができる。また、ＲＡＭ３４ＢあるいはＲＯＭ３４Ｃには、ＣＰＵ３４Ａが両足の最適なスタンスを導くための演算プログラムが格納されている。具体的には、演算プログラムは、ＣＰＵ３４Ａが両足の最適なスタンス位置を決定するためのスタンス位置決定プログラムと、ＣＰＵ３４Ａが両足（右足と左足）の最適なスタンス幅（間隔）を決定するためのスタンス幅決定プログラムと、で構成されている。
【００２４】
ここで、スタンス位置決定プログラムは、ポテンションメータ２２で検出された外旋回角度及び内旋回角度に基づいて左右の足の中心線に対する中心角度をそれぞれ算出する中心角度算出ステップと、左右の足の中心角度間の開き角度を算出する開き角度算出ステップと、左右の足のうち一方の足のつま先角度を所定の位置に決定する第１つま先角度決定ステップと、第１つま先角度決定工程で決定された左右の足のうち一方の足のつま先角度に対して開き角度が維持される位置を左右の足のうち他方の足のつま先角度に決定する第２つま先角度決定ステップと、を含んでいる。
【００２５】
中心角度算出ステップは、左右両足の中心線ＣＬに対する中心角度を算出するプログラム要素であり、特に男性用の中心角度の算出式と女性用の中心角度の算出式が異なっている。例えば、男性用の右足の中心角度の算出式は、右足の外旋回角度をＲＯ、右足の内旋回角度をＲＩとすると、男性の右足の中心角度（ＲＣ）は、ＲＣ＝ＲＯ−（（ＲＯ＋ＲＩ）／２）により決定される。また、男性用の左足の中心角度の算出式は、左足の外旋回角度をＬＯ、左足の内旋回角度をＬＩとすると、男性の左足の中心角度（ＬＣ）は、ＬＣ＝ＬＯ−（（ＬＯ＋ＬＩ）／２）により決定される。
【００２６】
また、女性用の右足の中心角度の算出式は、右足の外旋回角度をＲＯ、右足の内旋回角度をＲＩとすると、女性の右足の中心角度（ＲＣ）は、ＲＣ＝ＲＯ−（５５×（ＲＯ＋ＲＩ）／１００）により決定される。また、女性用の左足の中心角度の算出式は、左足の外旋回角度をＬＯ、左足の内旋回角度をＬＩとすると、女性の左足の中心角度（ＬＣ）は、ＬＣ＝ＬＯ−（５５×（ＬＯ＋ＬＩ）／１００）により決定される。
【００２７】
なお、男性用及び女性用の右足及び左足の中心角度（ＲＣ、ＬＣ）とは、図５（Ａ）、（Ｂ）に示すように、使用者が真正面方向を向いて回転盤１８に載った状態で真正面に沿って延びた中心線ＣＬを基準にして、中心線ＣＬから測定した角度を意味するものである。
【００２８】
開き角度算出ステップは、右足の中心角度（ＲＣ）と左足の中心角度（ＬＣ）との開き角度を算出するプログラム要素である。前記開き角度は、（右足の中心線ＣＬを基準とする中心角度（ＲＣ））＋（左足の中心線ＣＬを基準とする中心角度（ＬＣ））により算出することができる。
【００２９】
具体的には、図５及び図６に示すように、右足の中心線ＣＬを基準とする中心角度（ＲＣ）をα（算出した中心角度の中心線ＣＬから測定した角度αと定義する）、左足の中心線ＣＬを基準とする中心角度（ＬＣ）をβ（算出した中心角度の中心線ＣＬから測定した角度βと定義する）とした場合、α＋βにより両者の開き角度を算出することが可能である。
【００３０】
第１つま先角度決定ステップでは、左右の足のうち一方の足（例えば、右足）のつま先角度を所定の位置に決定するためのプログラム要素である。左右の足のうち一方の足（例えば、右足）のつま先角度の所定の位置は、次のように決定される。すなわち、中心角度算出ステップで算出された左右の足のうち一方の足（例えば、右足）の中心角度α（中心角度の中心線ＣＬから測定した角度α）がα≦０（図７参照）であれば、左右の足のうち一方の足（例えば、右足）のつま先角度の所定の位置は、中心角度αが０度の位置（すなわち、中心線ＣＬ上の位置）に決定される。また、中心角度算出ステップで算出された左右の足のうち一方の足（例えば、右足）の中心角度α（中心角度の中心線ＣＬから測定した角度α）が０＜α＜１５（図８参照）であれば、つま先角度の所定の位置は、中心角度算出ステップで算出された中心角度αの位置に決定される。さらに、中心角度算出ステップで算出された左右の足のうち一方の足（例えば、右足）の中心角度α（中心角度の中心線ＣＬから測定した角度α）がα≧１５（図９参照）であれば、つま先角度の所定の位置は、中心角度αが１５度の位置に決定される。
【００３１】
なお、左利きの使用者は、第１つま先角度決定ステップにおいて、左右の足のうち一方の足（例えば、左足）のつま先角度が所定の位置に決定される。左右の足のうち一方の足（例えば、左足）のつま先角度の所定の位置が決定される決定方法については、右足のつま先角度の場合と同様であるため、説明を省略する。
【００３２】
また、第１つま先角度決定ステップにおいて、男性用のつま先角度決定方法と女性用のつま先角度決定方法とは同様の方法で実行される。
【００３３】
第２つま先角度決定ステップは、第１つま先角度決定ステップで決定された左右の足のうち一方の足のつま先角度に対して前記開き角度が維持される位置を左右の足のうち他方の足のつま先角度に決定するためのプログラム要素である。
【００３４】
具体的には、第１つま先角度決定ステップで決定された左右の足のうち一方の足（右足）のつま先角度の位置が決定された後、この決定された位置に対して、両者の開き角度が維持されるように、左右の足のうち一方の足（左足）のつま先角度の位置が決定される。例えば、図７に示すように、左右の足のうち一方の足（右足）の中心角度αがα≦０である場合、つま先角度の位置が０度の位置（中心線ＣＬ上の位置）になる。この場合には、図１０に示すように、左右の足のうち一方の足（左足）のつま先角度の位置は、右足のつま先角度の位置（中心線ＣＬ上の位置）から（α＋β）の角度だけ開いた位置になる。また、図８に示すように、左右の足のうち一方の足（右足）の中心角度αが０＜α＜１５である場合、つま先角度の位置が中心角度αの位置になる。この場合には、図１１に示すように、左右の足のうち一方の足（左足）のつま先角度の位置は、右足のつま先角度αの位置から（α＋β）の角度だけ開いた位置になる。さらに、図９に示すように、左右の足のうち一方の足（右足）の中心角度αがα≧１５である場合、つま先角度の位置が中心角度１５度の位置になる。この場合には、図１２に示すように、左右の足のうち一方の足（左足）のつま先角度の位置は、右足のつま先角度１５度の位置から（α＋β）の角度だけ開いた位置になる。
【００３５】
ここで、図５に示すように、右足の中心角度αは、中心線ＣＬに関して右側に開いた場合を正とし、左側に開いた場合を負と定義する。また、左足の中心角度βは、中心線ＣＬに関して左側に開いた場合を正とし、右側に開いた場合を負と定義する。この定義を前提として、上記各ステップにより、両足の最適なスタンス位置が決定される。
【００３６】
なお、左利きの使用者は、第１つま先角度決定ステップにおいて、左右の足のうち左足のつま先角度が所定の位置に決定された後、第２つま先角度決定ステップにおいて、左右の足のうち右足のつま先角度が所定の位置に決定される。
【００３７】
また、上記構成では、制御手段の一構成要素であるＣＰＵ３４Ａ、ＲＡＭ３４Ｂ及びＲＯＭ３４Ｃが端末装置３４に内蔵されている構成を例にとり説明したが、この構成に限られるものではなく、例えば、ＣＰＵ３４Ａ、ＲＡＭ３４Ｂ及びＲＯＭ３４Ｃがスタンス測定装置１２に内蔵されており、スタンス測定装置１２単体で両足の最適なスタンス位置を決定することができるように構成してもよい。
【００３８】
さらに、スタンス幅決定プログラムは、両足（右足と左足）の最適なスタンス幅Ｈ（図１３から図１５参照）を決定するためのプログラム要素である。スタンス幅決定プログラムは、身長と体重の値とからＢＭＩ法により標準体重を算出し、測定者の体重が標準体重から５ｋｇ増加する毎に、１ｃｍのスタンス幅を標準スタンスに対して加算し、最適なスタンス幅Ｈ（図１３から図１５参照）を算出するものである。なお、標準体重のときの標準スタンスは、予め、ＲＡＭ３４Ｍ又はＲＯＭ３４Ｃに格納されている。
【００３９】
測定者が自身の身長と体重を端末装置３４に入力することにより、端末装置３４のＣＰＵ３４Ａがスタンス幅決定プログラムに基づいて最適なスタンス幅Ｈを算出する。また、ＣＰＵ３４Ａ、ＲＡＭ３４Ｂ及びＲＯＭ３４Ｃがスタンス測定装置１２に内蔵されている場合には、測定者が自身の身長と体重をスタンス測定装置１２に入力することにより、スタンス測定装置１２のＣＰＵがスタンス幅決定プログラムに基づいて最適なスタンス幅Ｈを算出する。
【００４０】
また、上記により算出された最適スタンス位置と最適スタンス幅Ｈは、ＲＡＭ３４ＢあるいはＲＯＭ３４Ｃに記憶される。また、最適スタンス位置と最適スタンス幅は、最適スタンスの結果として、端末装置３４からプリンタ装置３６に対して出力することができ、プリンタ装置３６からプリントアウトすることができる。さらに、ＣＰＵ３４Ａ、ＲＡＭ３４Ｂ及びＲＯＭ３４Ｃがスタンス測定装置１２に内蔵されている場合には、上記により算出された最適スタンス位置と最適スタンス幅Ｈは、最適スタンスの結果として、スタンス測定装置１２からプリンタ装置３６に対して出力することができ、さらにプリンタ装置３６からプリントアウトすることができる。
【００４１】
次に、スタンス決定システムを用いたスタンス決定方法について説明する。
【００４２】
図４に示すように、スタンス決定方法は、左右の足をそれぞれ対応する回転盤１８に載せた状態で回転盤１８を中心線ＣＬに対して外旋回及び内旋回させることにより外旋回角度及び内旋回角度を検出する旋回角度検出工程Ｓ１００と、旋回角度検出工程Ｓ１００で検出された外旋回角度及び内旋回角度に基づいて左右の足の中心線ＣＬに対する中心角度を算出する中心角度算出工程Ｓ１０２と、中心角度算出工程Ｓ１０２で算出された左右の足の中心角度間の開き角度を算出する開き角度算出工程Ｓ１０４と、左右の足のうち一方の足のつま先角度を所定の位置に決定する第１つま先角度決定工程Ｓ１０６と、第１つま先角度決定工程Ｓ１０６で決定された左右の足のうち一方の足の前記つま先角度に対して開き角度が維持される位置を左右の足のうち他方の足のつま先角度に決定する第２つま先角度決定工程Ｓ１０８と、両足のスタンス幅を決定するスタンス幅決定工程Ｓ１１０と、から構成されている。
【００４３】
（旋回角度検出工程）
旋回角度検出工程Ｓ１００では、右足と左足をそれぞれ対応する各回転盤１８（図２参照）に載せた状態で各回転盤１８を中心線ＣＬに対して外旋回及び内旋回させる。ここで、右足を回転盤１８に載せて外旋回するという意味は、図５（Ａ）に示すα（＋）の方向に向って回転盤１８を回転させることであり、右足を回転盤１８に載せて内旋回するという意味は、図５（Ａ）に示すα（−）の方向に向って回転盤１８を回転させることである。一方、左足を回転盤１８に載せて外旋回するという意味は、図５（Ｂ）に示すβ（＋）の方向に向って回転盤１８を回転させることであり、左足を回転盤１８に載せて内旋回するという意味は、図５（Ｂ）に示すβ（−）の方向に向って回転盤１８を回転させることである。これにより、回転盤１８の回転角度を検出する機能を有するポテンションメータ２２により、両足の外旋回角度と内旋回角度が検出される。
【００４４】  なお、旋回角度検出工程Ｓ１００でポテンションメータ２２により検出された右足の外旋回角度と内旋回角度、及び左足の外旋回角度と内旋回角度は、データ信号として、ポテンションメータ２２から端末装置３４に対して出力される。なお、右足の外旋回角度と内旋回角度、及び左足の外旋回角度と内旋回角度は、データとしてＲＡＭ３４Ｂ又はＲＯＭ３４Ｃに保存される。
【００４５】
（中心角度算出工程）
中心角度算出工程Ｓ１０２では、旋回角度検出工程Ｓ１００で検出された外旋回角度及び内旋回角度に基づいて左右の足の中心線ＣＬに対する中心角度がＣＰＵ３４Ａにより算出される。例えば、男性用の右足の中心角度の算出式は、右足の外旋回角度をＲＯ、右足の内旋回角度をＲＩとすると、男性の右足の中心角度（ＲＣ）は、ＲＣ＝ＲＯ−（（ＲＯ＋ＲＩ）／２）により決定される。また、男性用の左足の中心角度の算出式は、左足の外旋回角度をＬＯ、左足の内旋回角度をＬＩとすると、男性の左足の中心角度（ＬＣ）は、ＬＣ＝ＬＯ−（（ＬＯ＋ＬＩ）／２）により決定される。
【００４６】
また、女性用の右足の中心角度の算出式は、右足の外旋回角度をＲＯ、右足の内旋回角度をＲＩとすると、女性の右足の中心角度（ＲＣ）は、ＲＣ＝ＲＯ−（５５×（ＲＯ＋ＲＩ）／１００）により決定される。また、女性用の左足の中心角度の算出式は、左足の外旋回角度をＬＯ、左足の内旋回角度をＬＩとすると、女性の左足の中心角度（ＬＣ）は、ＬＣ＝ＬＯ−（５５×（ＬＯ＋ＬＩ）／１００）により決定される。
【００４７】  以上のようにして、図６に示すように、右足の中心角度αと左足の中心角度βがそれぞれ算出される。なお、右足の中心角度αと左足の中心角度βは、データとしてＲＡＭ３４Ｂ又はＲＯＭ３４Ｃに保存される。
【００４８】（開き角度算出工程）  開き角度算出工程Ｓ１０４では、図５及び図６に示すように、右足の中心角度αと左足の中心角度βとの開き角度（α＋β）は、（右足の中心線ＣＬを基準とする中心角度α）＋（左足の中心線ＣＬを基準とする中心角度β）によってＣＰＵ３４Ａによって算出される。なお、両足の開き角度（α＋β）は、データとしてＲＡＭ３４Ｂ又はＲＯＭ３４Ｃに保存される。
【００４９】（第１つま先角度決定工程）  第１つま先角度決定工程Ｓ１０６では、例えば、右足のつま先角度の所定の位置は、次のように決定される。すなわち、図７に示すように、中心角度算出工程Ｓ１０２で算出された右足の中心角度α（中心角度の中心線ＣＬから測定した角度α）がα≦０であれば、右足のつま先角度の所定の位置は、中心角度αが０度の位置（すなわち、中心線ＣＬ上の位置）に決定される。また、図８に示すように、中心角度算出工程Ｓ１０２で算出された右足の中心角度α（中心角度の中心線ＣＬから測定した角度α）が０＜α＜１５であれば、つま先角度の所定の位置は、中心角度算出工程Ｓ１０２で算出された中心角度αの位置に決定される。さらに、図９に示すように、中心角度算出工程Ｓ１０２で算出された右足の中心角度α（中心角度の中心線ＣＬから測定した角度α）がα≧１５であれば、つま先角度の所定の位置は、中心角度αが１５度の位置に決定される。なお、右足のつま先角度の所定の位置は、データとしてＲＡＭ３４Ｂ又はＲＯＭ３４Ｃに保存される。
【００５０】
左利きの使用者は、第１つま先角度決定工程Ｓ１０６において、先ず左足のつま先角度が所定の位置に決定される。左足のつま先角度の所定の位置が決定される決定方法については、右足のつま先角度の場合と同様である。
【００５１】（第２つま先角度決定工程）  第２つま先角度決定工程Ｓ１０８では、第１つま先角度決定工程Ｓ１０６で決定された右足のつま先角度の位置が決定された後、この決定された位置に対して、両者の開き角度が維持されるように、左足のつま先角度の位置が決定される。具体的には、図７に示すように、右足の中心角度αがα≦０である場合、つま先角度の位置が０度の位置（中心線ＣＬ上の位置）になる。この場合には、図１０に示すように、左足のつま先角度の位置は、右足のつま先角度の位置（中心線ＣＬ上の位置）から（α＋β）の角度だけ反時計回りに開いた位置になる。また、図８に示すように、右足の中心角度αが０＜α＜１５である場合、つま先角度の位置が中心角度αの位置になる。この場合には、図１１に示すように、左足のつま先角度の位置は、右足のつま先角度αの位置から（α＋β）の角度だけ反時計回りに開いた位置になる。さらに、図９に示すように、右足の中心角度αがα≧１５である場合、つま先角度の位置が中心角度１５度の位置になる。この場合には、図１２に示すように、左足のつま先角度の位置は、右足のつま先角度１５度の位置から（α＋β）の角度だけ反時計回りに開いた位置になる。なお、左足のつま先角度の所定の位置は、データとしてＲＡＭ３４Ｂ又はＲＯＭ３４Ｃに保存される。
【００５２】
左利きの使用者は、第１つま先角度決定工程Ｓ１０６において、左足のつま先角度が上記第１つま先角度決定工程Ｓ１０６の方法によって所定の位置に決定された後、第２つま先角度決定工程Ｓ１０８において、右足のつま先角度が上記第２つま先角度決定工程Ｓ１０８の方法によって所定の位置に決定される。
【００５３】（スタンス幅決定工程）  スタンス幅決定工程Ｓ１１０では、測定者（使用者）が自身の身長と体重を端末装置３４に入力することにより、スタンス幅決定プログラムに基づいて最適なスタンス幅Ｈ（図１３から図１５参照）が算出される。すなわち、測定者によって端末装置３４に入力された身長と体重の値に基づいてＢＭＩ法により標準体重がＣＰＵ３４Ａにより算出され、測定者の体重が標準体重から５ｋｇ増加する毎に、１ｃｍのスタンス幅が標準スタンスに対して加算されて、最適なスタンス幅Ｈ（図１３から図１５参照）が算出される。なお、測定者のスタンス幅は、データとしてＲＡＭ３４Ｂ又はＲＯＭ３４Ｃに保存される。
【００５４】
ここで、右足の中心角度αがα≦０である場合、両足の最適なスタンス位置と最適なスンタス幅Ｈは、図１３に示すようになる。右足の中心角度αが０＜α＜１５である場合、両足の最適なスタンス位置と最適なスンタス幅Ｈは、図１４に示すようになる。右足の中心角度αがα≧１５である場合、両足の最適なスタンス位置と最適なスンタス幅Ｈは、図１５に示すようになる。
【００５５】
以上の各工程により、使用者の両足の最適なスタンス（スタンス位置及びスタンス幅（間隔））が決定される。そして、最適スタンス位置と最適スタンス幅Ｈは、最適スタンスの結果として、端末装置３４からプリンタ装置３６に対して出力することができ、プリンタ装置３６からプリントアウトすることができる。使用者は、この結果を参照することにより、自らの両足の最適なスタンスを知ることができる。
【００５６】  以上のように、本実施形態によれば、各プレーヤー（使用者）の肉体的な特徴（例えば、体格、体質、股関節等の関節部位などの骨格の特性）に基づいて、各プレーヤー（使用者）の両者の最適なスタンスを決定することができる。
【符号の説明】
【００５７】
１０    スタンス決定システム
１６Ｒ、１６Ｌ  回転部材
２２    ポテンションメータ（旋回角度検出手段）
３４Ａ  ＣＰＵ（制御手段）
【図１】
0005594869.tif 000002
【図２】
0005594869.tif 000003
【図３】
0005594869.tif 000004
【図４】
0005594869.tif 000005
【図５】
0005594869.tif 000006
【図６】
0005594869.tif 000007
【図７】
0005594869.tif 000008
【図８】
0005594869.tif 000009
【図９】
0005594869.tif 000010
【図１０】
0005594869.tif 000011
【図１１】
0005594869.tif 000012
【図１２】
0005594869.tif 000013
【図１３】
0005594869.tif 000014
【図１４】
0005594869.tif 000015
【図１５】
0005594869.tif 000016